(57)【要約】【課題】ＤＭＴ信号に無線信号を合波した場合でも、ＤＭＴ信号の伝送特性を改善できる伝送装置等を提供する。【解決手段】光送信器は、ＳＣに情報信号を割り当て、ＳＣ毎に割り当てられた情報信号を多値変調してＤＭＴ信号を生成するＤＭＴ変調部を有する。光送信器は、ＤＭＴ信号のプローブ結果及び、入力した無線信号の周波数情報に基づき、ＤＭＴ信号内の情報信号を割り当てたＳＣと重ならないように無線信号のキャリア周波数をシフトするミキサを有する。更に、光送信器は、ＤＭＴ変調部からのＤＭＴ信号と、キャリア周波数をシフト後の無線信号と合波して出力する合波部を有する。【選択図】図１
2016127572.tif 000002
【特許請求の範囲】
【請求項１】
複数のサブキャリアに情報信号を割り当て、前記サブキャリア毎に割り当てられた情報信号を変調して第１の信号を生成する変調部と、
前記第１の信号の伝送特性情報及び、入力した第２の信号の周波数情報に基づき、前記第１の信号内の前記情報信号を割り当てた前記サブキャリアと重ならないように前記第２の信号のキャリア周波数をシフトするシフト部と、
前記第１の信号と前記シフト部にてシフト後の前記第２の信号とを合波して出力する出力部と
を有することを特徴とする伝送装置。
【請求項２】
前記シフト部は、
前記第１の信号内の低周波側のサブキャリアと重ならないように高周波側のサブキャリアに対応する周波数に、前記第２の信号のキャリア周波数をシフトすることを特徴とする請求項１に記載の伝送装置。
【請求項３】
前記シフト部は、
前記第２の信号の伝送特性条件を満たした目標の信号レベルを算出し、
前記第１の信号と前記第２の信号との信号レベル差を算出し、
前記目標の信号レベルから前記信号レベル差を減算した換算レベルを算出し、
前記第１の信号の伝送特性情報に基づき、前記換算レベルに対応した周波数を前記第２の信号のシフト後のキャリア周波数に決定し、決定したシフト後のキャリア周波数に前記第２の信号をシフトすることを特徴とする請求項１又は２に記載の伝送装置。
【請求項４】
前記信号レベル差が所定閾値未満の場合、前記第２の信号の信号レベルを調整する調整部を有することを特徴とする請求項３に記載の伝送装置。
【請求項５】
前記第２の信号の周波数情報及び前記第１の信号の伝送特性情報に基づき、前記第１の信号内の複数のサブキャリアの内、前記第１の信号内の前記情報信号が割り当てられた前記サブキャリアと重ならないように前記第２の信号のシフト後のキャリア周波数に対応するサブキャリアに前記第２の信号を割り当てる割当部を有することを特徴とする請求項１〜４の何れか一つに記載の伝送装置。
【請求項６】
複数のサブキャリアに情報信号を割り当て、前記サブキャリア毎に割り当てられた情報信号を変調して第１の信号を生成する変調部と、
前記第１の信号の伝送特性情報及び、入力した第２の信号の周波数情報に基づき、前記第１の信号内の前記情報信号が割り当てられた前記サブキャリアと重ならないように前記第２の信号のキャリア周波数をシフトするシフト部と、
前記第１の信号と前記シフト部にてシフト後の前記第２の信号とを合波して出力する出力部と
を有することを特徴とする送信器。
【請求項７】
伝送装置が、
複数のサブキャリアに情報信号を割り当て、前記サブキャリア毎に割り当てられた情報信号を変調して第１の信号を生成し、
前記第１の信号の伝送特性情報及び、入力した第２の信号の周波数情報に基づき、前記第１の信号内の前記情報信号が割り当てられた前記サブキャリアと重ならないように前記第２の信号のキャリア周波数をシフトし、
前記第１の信号とシフト後の前記第２の信号とを合波して出力する
処理を実行することを特徴とする伝送方法。
【発明の詳細な説明】
【技術分野】
【０００１】
本発明は、伝送装置、送信器及び伝送方法に関する。
【背景技術】
【０００２】
近年、例えば、スマートフォン等のモバイル端末の増加に応じてモバイル端末の無線信号の通信量が増加している。そこで、光ネットワークを用いて、例えば、基地局間でモバイル端末の無線信号を大容量で光伝送することが望まれている。
【０００３】
また、光ネットワークの伝送方式では、例えば、ＤＭＴ（離散マルチトーン：Discrete  Multi-Tone）変調方式等のマルチキャリア変調方式が知られている。ＤＭＴ変調方式は、ＯＦＤＭ（Orthogonal  Frequency  Division  Multiplexing）技術を基礎にしたマルチキャリア伝送技術の一つである。ＤＭＴ変調方式は、複数の異なる周波数のサブキャリア（ＳＣ:Subcarrier）に情報信号を割り当て、これらＳＣ毎に割り当てられた情報信号を多値変調し、ＤＭＴ信号として情報信号を高速伝送する技術である。
【０００４】
また、光ネットワーク内の伝送装置では、ＤＭＴ信号にモバイル端末の無線信号を周波数多重化する方法が知られている。この伝送装置では、ＤＭＴ信号に無線信号を周波数多重し、無線信号を周波数多重したＤＭＴ信号を光変換して光ＤＭＴ信号を光ネットワーク経由で対向側の伝送装置に伝送する。この際、ＤＭＴ信号は、例えば、数ＧＨｚ〜約２５ＧＨｚの周波数帯域を使用するのに対し、無線信号は、例えば、約７００ＭＨｚ〜約６ＧＨｚの周波数帯域を使用する。対向側の伝送装置は、光ネットワークから受信した光ＤＭＴ信号から情報信号及び無線信号を分離出力する。その結果、対向側の伝送装置は、光ＤＭＴ信号から情報信号及び無線信号を取得できる。
【先行技術文献】
【特許文献】
【０００５】
【特許文献１】特開２００４−１１２７８１号公報
【発明の概要】
【発明が解決しようとする課題】
【０００６】
図１５は、ＤＭＴ信号内のＳＣ毎のビット割当数の一例を示す説明図である。図１５の（Ａ）は、無線信号多重なしのＤＭＴ信号内のＳＣ毎のビット割当数の一例を示す説明図、図１５の（Ｂ）は、無線信号多重ありのＤＭＴ信号内のＳＣ毎のビット割当数の一例を示す説明図である。尚、図１５は、１００ＧｂＥ（Giga  Bit  Ethernet（登録商標））のＤＭＴ信号に２ＧＨｚ帯の無線信号を合波した光ＤＭＴ信号を１０ｋｍの光伝送路で伝送した場合の実験結果である。
【０００７】
図１５の（Ａ）に示す光ＤＭＴ信号では、ＤＭＴ信号内の複数のＳＣの内、低周波側ＳＣの伝送特性が良好で高周波側ＳＣの伝送特性が徐々に劣化する特性にある。しかも、図１５の（Ａ）に示すＤＭＴ信号は、低周波帯域の無線信号が周波数多重されていないため、その伝送特性も良好である。この際、伝送レートは１１３Ｇｂｐｓ（bit  per  second）であり、ＢＥＲ(Bit  Error  Rate)も６．５７×１０−４の実験結果を得た。
【０００８】
これに対して、図１５の（Ｂ）に示す光ＤＭＴ信号では、その伝送特性が良好な低周波側のＳＣが無線信号と重なるため、その伝送特性が著しく低下する。この際、伝送レートは１０９Ｇｂｐｓであり、ＢＥＲも８．３２×１０−４の実験結果を得た。
【０００９】
つまり、伝送装置は、ＤＭＴ信号に無線信号を周波数多重（合波）した場合、無線信号のキャリア周波数がＤＭＴ信号の伝送特性が良好な低周波側のＳＣと重なるため、ＤＭＴ信号の伝送特性が低下してしまう。
【００１０】
一つの側面では、ＤＭＴ信号に無線信号を合波した場合でも、ＤＭＴ信号の伝送特性を改善できる伝送装置、送信器及び伝送方法を提供することを目的とする。
【課題を解決するための手段】
【００１１】
一つの態様では、変調部と、シフト部と、出力部とを有する。変調部は、複数のサブキャリアに情報信号を割り当て、前記サブキャリア毎に割り当てられた情報信号を変調して第１の信号を生成する。シフト部は、前記第１の信号の伝送特性情報及び、入力した第２の信号の周波数情報に基づき、前記第１の信号内の情報信号を割り当てた前記サブキャリアと重ならないように前記第２の信号のキャリア周波数をシフトする。出力部は、前記第１の信号と前記シフト部にてシフト後の前記第２の信号とを合波して出力する。
【発明の効果】
【００１２】
一つの側面として、第１の信号に第２の信号を合波した場合でも、第１の信号の伝送特性を改善できる。
【図面の簡単な説明】
【００１３】
【図１】図１は、実施例１の光伝送システムの一例を示すブロック図である。
【図２】図２は、無線方式テーブルの一例を示す説明図である。
【図３】図３は、割当テーブルの一例を示す説明図である。
【図４】図４は、無線信号とＤＭＴ信号との周波数スペクトラムの一例を示す説明図である。
【図５】図５は、ＤＭＴ信号のプローブ結果（ＳＮＲ−周波数特性）の一例を示す説明図である。
【図６】図６は、ＤＭＴ信号内のＳＣ（周波数）毎のビット割当数の一例を示す説明図である。
【図７】図７は、無線信号を合波したＤＭＴ信号内のＳＣの一例を示す説明図である。
【図８】図８は、光伝送処理に関わる光送信器の処理動作の一例を示すフローチャートである。
【図９】図９は、割当処理に関わる光送信器側の割当部の処理動作の一例を示すフローチャートである。
【図１０】図１０は、ＤＭＴ信号に関わる合波及び分波の動作の一例を示す説明図である。
【図１１】図１１は、実施例２の光伝送システムの一例を示すブロック図である。
【図１２】図１２は、光伝送処理に関わる光送信器の処理動作の一例を示すフローチャートである。
【図１３】図１３は、実施例３の光伝送システムの一例を示す説明図である。
【図１４】図１４は、伝送プログラムを実行する伝送装置を示す説明図である。
【図１５】図１５は、ＤＭＴ信号内のＳＣ（周波数）毎のビット割当数の一例を示す説明図である。
【発明を実施するための形態】
【００１４】
以下、図面に基づいて、本願の開示する伝送装置、送信器及び伝送方法の実施例を詳細に説明する。尚、本実施例により、開示技術が限定されるものではない。
【実施例１】
【００１５】
図１は、実施例１の光伝送システムの一例を示す説明図である。図１に示す光伝送システム１は、光送信器１０と、光受信器２０と、光送信器１０と光受信器２０との間を接続する光伝送路２とを有する。光送信器１０は、例えば、モバイル端末を無線収容する基地局と接続する光アクセスネットワークに接続する光モジュール等の伝送装置である。尚、モバイル端末は、例えば、携帯電話機、スマートフォンやタブレット端末等の無線端末である。光受信器２０は、例えば、光メトロネットワークや光コアネットワーク等内に収容された光モジュール等の伝送装置である。
【００１６】
光送信器１０は、ＤＭＴ変調部１１と、合波部１２と、電気／光変換部（以下、単にＥ／Ｏと称する）１３と、分岐部１４と、ミキサ１５と、発振器１６と、モニタ部１７と、割当部１８とを有する。ＤＭＴ変調部１１は、異なる周波数のチャネルのサブキャリア（以下、単にＳＣと称する）に情報信号を割り当て、ＳＣ毎に割り当てられた情報信号を多値変調してＤＭＴ信号を生成する、例えば、変調部である。分岐部１４は、例えば、基地局から各モバイル端末の無線信号を入力し、入力した無線信号をミキサ１５及びモニタ部１７に夫々入力する。ミキサ１５は、発振器１６からの発振周波数に応じて分岐部１４からの無線信号を周波数変換して無線信号のキャリア周波数をシフトする。更に、ミキサ１５は、シフトした無線信号を合波部１２に入力する。合波部１２は、ＤＭＴ変調部１１からのＤＭＴ信号にミキサ１５からの無線信号を合波する。Ｅ／Ｏ１３は、無線信号を合波したＤＭＴ信号を光変換して光ＤＭＴ信号を光伝送路２に伝送出力する。尚、合波部１２及びＥ／Ｏ１３は、例えば、出力部に相当する。
【００１７】
モニタ部１７は、スペクトルアナライザ１７Ａと、無線方式テーブル３１とを有する。スペクトルアナライザ１７Ａは、分岐部１４からの無線信号の周波数スペクトルを解析し、その解析結果から、例えば、ピーク周波数を取得する。更に、モニタ部１７は、無線信号の解析結果に基づき、無線方式テーブル３１を参照し、分岐部１４で入力した無線信号の無線方式等の周波数情報を取得する。図２は、無線方式テーブル３１の一例を示す説明図である。図２に示す無線方式テーブル３１は、無線信号の信号方式３１Ａ毎に、キャリア周波数３１Ｂ及び使用帯域幅３１Ｃを対応付けて管理している。信号方式３１Ａは、無線信号の信号方式であって、例えば、Ｗ−ＣＤＭＡ（Wideband  Code  Division  Multiple  Access）やＬＴＥ(Long  Term  Evolution、登録商標、以下同様)、ＷｉＭＡＸ（登録商標）等の信号方式である。更に、同一信号方式でも、複数の通信事業者毎に分別管理している。キャリア周波数３１Ｂは、信号方式が使用するキャリア周波数である。使用帯域幅３１Ｃは、信号方式が使用する周波数帯域である。モニタ部１７は、無線方式テーブル３１を参照し、無線信号のピーク周波数に対応した無線信号の信号方式３１Ａ、キャリア周波数３１Ｂ及び使用帯域幅３１Ｃ等の周波数情報を取得する。
【００１８】
割当部１８は、モニタ部１７から無線信号の信号方式に対応したキャリア周波数及び使用帯域幅に基づき、ＤＭＴ信号内の複数のＳＣの内、無線信号及び情報信号に割り当てるＳＣを決定する。割当部１８は、割当テーブル３２を有する。図３は、割当テーブル３２の一例を示す説明図である。図３に示す割当テーブル３２は、ＳＣ番号３２Ａ毎に、使用周波数３２Ｂ及び割当信号３２Ｃを対応付けて管理している。ＳＣ番号３２Ａは、ＳＣを識別する識別番号である。使用周波数３２Ｂは、ＳＣ番号３２Ａ毎に使用するＳＣの周波数である。割当信号３２Ｃは、ＳＣ番号３２ＡのＳＣに割り当てた信号種別、例えば、無線信号の「無線」又は情報信号の「ＤＭＴ」である。
【００１９】
割当部１８は、モニタ部１７から無線信号の無線方式に対応した目標ＥＶＭ（Error  Vector  Magnitude）を取得する。尚、目標ＥＶＭは、例えば、通信事業者が推奨する無線信号の推奨評価値である。割当部１８は、ＳＮＲ（ｄＢ）＝‐[PAPR＋20×log10(EVM(%))]の数式で無線信号のＳＮＲ（Signal  to  Noise  Ratio)を算出する。例えば、６４ＱＡＭ（Quadrature  Amplitude  Modulation)の無線信号、そのＰＡＰＲ（Peak  to  Average  Power  Ratio）が３．７ｄＢ、目標ＥＶＭを８％とした場合、そのＳＮＲは１８．２ｄＢとなる。
【００２０】
図４は、無線信号とＤＭＴ信号との周波数スペクトラムの一例を示す説明図である。割当部１８は、図４に示すように、無線信号のキャリア周波数に関わる信号レベルと、該当キャリア周波数のＤＭＴ信号に関わる信号レベルとの差分である信号レベル差を算出する。図４に示す信号レベル差は１６ｄＢとなる。割当部１８は、目標ＥＶＭの無線信号のＳＮＲから信号レベル差を差し引いて換算ＳＮＲを算出する。例えば、割当部１８は、１８．２ｄＢ−１６ｄＢ＝２．２ｄＢとして換算ＳＮＲを算出する。
【００２１】
図５は、ＤＭＴ信号のプローブ結果（ＳＮＲ−周波数特性）の一例を示す説明図である。割当部１８は、図５に示すＤＭＴ信号のプローブ結果から換算ＳＮＲに対応する周波数を検索し、検索結果の周波数を無線信号のシフト後のキャリア周波数として決定する。尚、ＤＭＴ信号のプローブ結果は、運用前にＤＭＴ信号の試験信号を光送信器１０自体で実行した結果のＤＭＴ信号の伝送特性である。つまり、割当部１８は、換算ＳＮＲの２．２ｄＢに対応する周波数２７ＧＨｚを図５に示すプローブ結果から検索し、無線信号のシフト後のキャリア周波数を２７ＧＨｚとして決定する。割当部１８は、無線信号のシフト後のキャリア周波数を決定した後、現在の無線信号のキャリア周波数Ｆ１からシフト後のキャリア周波数Ｆ２までの周波数シフト量を算出し、周波数シフト量を発振器１６に設定する。図６は、ＤＭＴ信号内のＳＣ（周波数）毎のビット割当数の一例を示す説明図である。図６に示す無線信号は、ＤＭＴ信号のビット割当数の多い伝送特性の良好な低周波側ＳＣから、ビット割当数の少ない伝送特性の高周波側のＳＣにシフトされることになる。尚、ミキサ１５、発振器１６、モニタ部１７及び割当部１８は、例えば、シフト部に相当する。
【００２２】
図７は、無線信号を合波したＤＭＴ信号内のＳＣの一例を示す説明図である。図７に示すＤＭＴ信号には、無線信号７１と、ガード帯域７２と、情報信号７３とがある。割当部１８は、モニタ部１７から無線信号７１の信号方式に対応したキャリア周波数ｆｃ及び使用帯域幅Δｆを取得する。また、ガード帯域の使用帯域幅はΔｆｇとする。
【００２３】
割当部１８は、図７に示すように、無線信号の周波数帯域ｆｃ−Δｆ／２〜ｆｃ＋Δｆ／２に基づき、ｆｃ−Δｆ／２−Δｆｇの下側のガード帯域と、ｆｃ＋Δｆ／２＋Δｆｇの上側のガード帯域とを算出する。つまり、割当部１８は、決定したシフト周波数Ｆｃ（＝ｆｃ＋Ｘ）の無線信号に関わる下側のガード帯域及び上側のガード帯域を算出する。
【００２４】
更に、割当部１８は、ｆ＜Ｆｃ−Δｆ／２−Δｆｇの周波数帯の下側ＳＣ番号を検索し、下側ＳＣ番号以降の周波数減少方向にある最大ＳＣ番号Ｎ１を検索する。割当部１８は、ｆ＞Ｆｃ＋Δｆ／２＋Δｆｇの周波数帯の上側ＳＣ番号を検索し、上側ＳＣ番号以降の周波数増加方向にある最小ＳＣ番号Ｎ２を検索する。
【００２５】
割当部１８は、下側ＳＣ番号以降の周波数減少方向にある最大ＳＣ番号Ｎ１及び、上側ＳＣ番号以降の周波数増加方向にある最小ＳＣ番号Ｎ２の割当に情報信号の「ＤＭＴ」を割り当てる。更に、割当部１８は、下側ＳＣ番号Ｎ１と周波数増加方向に隣接するＳＣのＳＣ番号Ｎ１＋１と、上側ＳＣ番号Ｎ２と周波数減少方向に隣接するＳＣのＳＣ番号Ｎ２−１との範囲内のＳＣ番号の割当に無線信号の「無線」を割り当てる。
【００２６】
割当部１８は、その割当内容に基づき、割当テーブル３２内のＳＣ番号３２Ａの割当情報を更新する。割当部１８は、割当テーブル３２を参照し、ＳＣ番号３２Ａに対応した使用周波数３２Ｂ及び割当信号３２Ｃ等の割当情報をＤＭＴ変調部１１に設定する。ＤＭＴ変調部１１は、割当情報に基づき、周波数シフト後の無線信号のキャリア周波数に重ならないＳＣに情報信号を割り当てたＤＭＴ信号を生成する。割当部１８は、割当情報の他に、シフト前及びシフト後の無線信号のキャリア周波数及び使用帯域幅等を含む周波数情報を加えた設定情報を、例えば、制御線３経由で光受信器２０に通知する。
【００２７】
光受信器２０は、光／電気変換部（以下、単にＯ／Ｅと称する）２１と、分波部２２と、ＤＭＴ復調部２３と、ミキサ２４と、発振器２５とを有する。Ｏ／Ｅ２１は、光伝送路２から受信した光ＤＭＴ信号を電気変換してＤＭＴ信号を得る。分波部２２は、光送信器１０からの設定情報内のシフト後の無線信号のキャリア周波数ｆｃ及び使用帯域幅Δｆに基づきＤＭＴ信号からシフト後の無線信号及びＤＭＴ信号を分離する。発振器２５は、光送信器１０側の割当部１８からの設定情報のシフト前のキャリア周波数に対応する発振周波数を生成する。更に、ミキサ２４は、発振器２５から発振周波数に応じて無線信号を周波数変換してシフト前のキャリア周波数に無線信号を戻し、シフト前の無線信号を出力する。更に、ＤＭＴ復調部２３は、光送信器１０の割当部１８からの割当情報に基づき、分離後のＤＭＴ信号を復調して情報信号を出力する。
【００２８】
次に実施例１の光伝送システム１の動作について説明する。図８は、光伝送処理に関わる光送信器１０側の処理動作の一例を示すフローチャートである。図８に示す光伝送処理は、無線信号のキャリア周波数をＤＭＴ信号内の高周波側ＳＣにシフトし、その無線信号をＤＭＴ信号に合波して光伝送路２に伝送する処理である。
【００２９】
図８において光送信器１０内のモニタ部１７は、スペクトラムアナライザ１７Ａを通じて無線信号のピーク周波数等の周波数スペクトラムを取得する（ステップＳ１１）。更に、モニタ部１７は、無線方式テーブル３１を参照し、取得した周波数スペクトラムに基づき、無線信号の周波数方式、キャリア周波数及び周波数帯域を決定する（ステップＳ１２）。更に、光送信器１０内の割当部１８は、図５に示すようにＤＭＴ信号のプローブ結果からＤＭＴ信号の伝送特性を取得する（ステップＳ１３）。割当部１８は、無線方式に対応した無線信号の目標ＥＶＭに対応するＳＮＲを算出する（ステップＳ１４）。尚、割当部１８は、ＳＮＲ（ｄＢ）＝‐[PAPR＋20×log10(EVM(%))]の数式に基づき、無線信号のＳＮＲを算出する。割当部１８は、ＤＭＴ信号内の周波数（ＳＣ）毎のビット割当数に対応する信号レベルを取得する（ステップＳ１５）。
【００３０】
割当部１８は、無線信号のキャリア周波数に対応する信号レベルから、当該無線信号の該当キャリア周波数に対応するＤＭＴ信号の信号レベルを減算し、その信号レベル差を算出する（ステップＳ１６）。割当部１８は、信号レベル差を算出した後、目標ＥＶＭの無線信号のＳＮＲから信号レベル差を減算して換算ＳＮＲを算出する（ステップＳ１７）。割当部１８は、換算ＳＮＲが０以下であるか否かを判定する（ステップＳ１８）。割当部１８は、換算ＳＮＲが０以下でない場合（ステップＳ１８否定）、図５に示すプローブ結果であるＤＭＴ信号の伝送特性から換算ＳＮＲに該当する周波数を検索する（ステップＳ１９）。
【００３１】
割当部１８は、検索結果の周波数を無線信号のシフト後のキャリア周波数として決定する（ステップＳ２０）。割当部１８は、決定した無線信号のシフト後のキャリア周波数に基づき、無線信号の現在のキャリア周波数からシフト後のキャリア周波数までの周波数シフト量を算出する（ステップＳ２１）。割当部１８は、算出した周波数シフト量を発振器１６に設定する（ステップＳ２２）。そして、割当部１８は、後述する、図９に示す割当処理を実行する（ステップＳ２３）。
【００３２】
更に、ＤＭＴ変調部１１は、割当処理実行後、設定情報内の割当情報に基づき、ＤＭＴ信号を生成する（ステップＳ２４）。ミキサ１５は、発振器１６からの周波数シフト量の発振周波数に応じて無線信号を周波数変換して無線信号のキャリア周波数をシフトする（ステップＳ２５）。その結果、無線信号は、ステップＳ２０又はステップＳ２９で決定したキャリア周波数にシフトしたことになる。合波部１２は、ＤＭＴ変調部１１からのＤＭＴ信号にミキサ１５からの無線信号を合波する（ステップＳ２６）。更に、Ｅ／Ｏ１３は、合波したＤＭＴ信号を光ＤＭＴ信号に変換し（ステップＳ２７）、その光ＤＭＴ信号を光伝送路２に伝送し（ステップＳ２８）、図８に示す処理動作を終了する。尚、光ＤＭＴ信号は、ＤＭＴ信号内の高周波側ＳＣに無線信号のキャリア周波数をシフトし、ＤＭＴ信号に無線信号を合波した光信号である。ＤＭＴ信号は、低周波側ＳＣに無線信号のキャリア周波数が重ならないため、その伝送特性が改善されたことになる。
【００３３】
また、割当部１８は、換算ＳＮＲが０以下の場合（ステップＳ１８肯定）、ＤＭＴ信号帯域外の周波数を無線信号のシフト後のキャリア周波数として決定する（ステップＳ２９）。尚、ＤＭＴ信号帯域外の周波数とは、例えば、ＤＭＴ信号で使用しない高周波側の周波数帯又は低周波側の周波数帯である。そして、割当部１８は、決定した無線信号のシフト後のキャリア周波数に基づき周波数シフト量を算出すべく、ステップＳ２１に移行する。
【００３４】
図８に示す光伝送処理は、換算ＳＮＲが０以下でない場合、ＤＭＴ信号の伝送特性から換算ＳＮＲに該当する周波数を検索し、その周波数をシフト後の無線信号のキャリア周波数として決定し、無線信号をＤＭＴ信号の高周波側ＳＣに設定する。その結果、無線信号がＤＭＴ信号の低周波側ＳＣに重ならないため、ＤＭＴ信号の伝送特性を改善できる。
【００３５】
光伝送処理は、換算ＳＮＲが０以下の場合、ＤＭＴ信号の使用帯域以外の未使用の周波数を無線信号のキャリア周波数として決定し、無線信号をＤＭＴ信号の使用帯域以外に設定する。その結果、無線信号がＤＭＴ信号の使用帯域に重ならないため、ＤＭＴ信号の伝送特性を改善できる。
【００３６】
図９は、割当処理に関わる光送信器１０側の割当部１８の処理動作の一例を示すフローチャートである。図９に示す割当処理は、決定した無線信号のシフト後のキャリア周波数と重ならないようにＤＭＴ信号内のＳＣの情報信号及び無線信号の割当を設定する処理である。
【００３７】
図９において割当部１８は、モニタ部１７にて取得した無線信号のキャリア周波数ｆｃ及び、算出した周波数シフト量Ｘに基づき、シフト後の無線信号のキャリア周波数Ｆｃを算出する（ステップＳ４１）。割当部１８は、ＤＭＴ信号内のＳＣの内、ｆ＜Ｆｃ−Δｆ／２−Δｆｇが成立する最大ＳＣ番号Ｎ１を検索する（ステップＳ４２）。尚、最大ＳＣ番号Ｎ１は、シフト後の無線信号のキャリア周波数に隣接する、ＤＭＴ信号内の周波数減少方向にあるＳＣである。割当部１８は、ＤＭＴ信号内のＳＣの内、ｆ＞Ｆｃ＋Δｆ／２＋Δｆｇが成立する最小ＳＣ番号Ｎ２を検索する（ステップＳ４３）。尚、最小ＳＣ番号Ｎ２は、シフト後の無線信号のキャリア周波数に隣接する、ＤＭＴ信号内の周波数増加方向にあるＳＣである。
【００３８】
割当部１８は、割当テーブル３２を参照し、Ｎ１≦Ｎ≦Ｎ２の条件下のＳＣ番号Ｎの割当が無線信号であるか否かを判定する（ステップＳ４４）。割当部１８は、ＳＣ番号Ｎの割当が無線信号の場合（ステップＳ４４肯定）、割当テーブル３２を参照し、Ｎ１≦Ｎ、Ｎ≧Ｎ２の条件下のＳＣ番号Ｎの割当が情報信号であるか否かを判定する（ステップＳ４５）。
【００３９】
割当部１８は、ＳＣ番号Ｎの割当が情報信号の場合（ステップＳ４５肯定）、ＳＣ番号毎の割り当て内容を含む割当情報をＤＭＴ変調部１１に設定する（ステップＳ４６）。割当部１８は、割当情報をＤＭＴ変調部１１に設定した後、割当情報を光受信器２０側のＤＭＴ復調部２３及び分波部２２に通知し（ステップＳ４７）、図９に示す処理動作を終了する。更に、割当部１８は、Ｎ１≦Ｎ≦Ｎ２の条件下のＳＣ番号Ｎの割当が無線信号でない場合（ステップＳ４４否定）、ＳＣ番号Ｎの割当を無線信号に設定して割当テーブル３２の内容を更新する（ステップＳ４８）。そして、割当部１８は、ＳＣ番号Ｎの割当が情報信号であるか否かを判定すべく、ステップＳ４５に移行する。
【００４０】
割当部１８は、Ｎ１≦Ｎ、Ｎ≧Ｎ２条件下のＳＣ番号Ｎの割当が情報信号でない場合（ステップＳ４５否定）、Ｎ１≦Ｎ、Ｎ≧Ｎ２のＳＣ番号Ｎの割当を情報信号（ＤＭＴ）に設定して割当テーブル３２の内容を更新する（ステップＳ４９）。そして、割当部１８は、設定情報をＤＭＴ変調部１１に設定すべく、ステップＳ４６に移行する。
【００４１】
図９に示す割当処理では、シフト後の無線信号のキャリア周波数を決定した後、ＤＭＴ信号内の無線信号のシフト後のキャリア周波数に該当するＳＣを無線信号に割り当てる。更に、ＤＭＴ信号内の無線信号のシフト後のキャリア周波数に該当するＳＣ以外のＳＣを情報信号（ＤＭＴ）に割り当てる。その結果、ＤＭＴ信号内の情報信号と無線信号とが重ならないようにし、ＤＭＴ信号及び無線信号の伝送特性の劣化を抑制できる。つまり、光送信器１０は、光ＤＭＴ信号で無線信号を効率良く伝送できる。
【００４２】
図１０は、ＤＭＴ信号に関わる合波及び分波の動作の一例を示す説明図である。光送信器１０内のミキサ１５は、図１０の（Ａ）に示すように、無線信号のキャリア周波数をＤＭＴ信号内の高周波側ＳＣにシフトする。更に、光送信器１０内のＤＭＴ変調部１１は、割当情報に基づき、無線信号のシフト後のキャリア周波数に該当するＳＣに情報信号が割り当てられないように情報信号をＳＣに割り当てたＤＭＴ信号を生成する。つまり、ＤＭＴ変調部１１は、無線信号を高周波側にシフトしたので、伝送特性の良好な低周波側のＳＣに情報信号を割り当てることができる。そして、光送信器１０内の合波部１２は、ミキサ１５からの無線信号をＤＭＴ変調部１１からのＤＭＴ信号に合波し、図１０の（Ｂ）に示すように光ＤＭＴ信号を光受信器２０に伝送する。その結果、伝送特性が良好なＤＭＴ信号の低周波側ＳＣの情報信号に無線信号が重ならないため、ＤＭＴ信号の伝送特性を改善できる。
【００４３】
更に、光受信器２０側の分波部２２は、光ＤＭＴ信号を受信した場合、図１０の（Ｃ）に示すように、光ＤＭＴ信号からＤＭＴ信号及び無線信号を分離する。光受信器２０側のＤＭＴ復調部２３は、ＤＭＴ信号を復調して情報信号を出力する。更に、光受信器２０側のミキサ２４は、周波数情報に基づき、分波部２２から入力した無線信号をシフト前の低周波側ＳＣのキャリア周波数に戻し、シフト前のキャリア周波数の無線信号を出力できる。その結果、光受信器２０は、光送信器１０からの光ＤＭＴ信号から情報信号は勿論のこと、無線信号をも取得できる。
【００４４】
実施例１の光送信器１０は、ＤＭＴ信号内の情報信号と無線信号とが低周波側のＳＣで重ならないように無線信号のキャリア周波数をＤＭＴ信号の高周波側のＳＣにシフトし、無線信号をＤＭＴ信号に合波して光伝送路２に伝送した。その結果、ＤＭＴ信号内の情報信号と無線信号とが低周波側ＳＣで重ならないため、そのＤＭＴ信号の伝送特性を改善できる。
【００４５】
光送信器１０は、目標ＥＶＭを満たした無線信号のＳＮＲと、無線信号とＤＭＴ信号との信号レベル差とを減算して換算ＳＮＲを算出し、ＤＭＴ信号のプローブ結果から換算ＳＮＲに相当する周波数を検索する。更に、光送信器１０は、検索結果の周波数を無線信号のシフト後のキャリア周波数として決定する。その結果、無線信号の目標ＥＶＭを満たしたシフト後のキャリア周波数を取得できる。
【００４６】
尚、上記実施例１の割当部１８では、無線信号のキャリア周波数の信号レベルと、無線信号のキャリア周波数に対応したＤＭＴ信号の信号レベルとの信号レベル差を算出し、算出した信号レベル差及び目標ＥＶＭの無線信号のＳＮＲに基づき換算ＳＮＲを算出した。しかしながら、信号レベル差が小さいと周波数シフト量も小さく、ＤＭＴ信号の伝送特性の改善効果も小さくなる。そこで、この場合の実施の形態につき、実施例２として、以下に説明する。
【実施例２】
【００４７】
図１１は、実施例２の光伝送システム１Ａの一例を示すブロック図である。尚、実施例１の光伝送システム１と同一の構成には同一符号を付すことで、その重複する構成及び動作の説明については省略する。
【００４８】
図１１に示す光伝送システム１Ａと図１に示す光伝送システム１とが異なるところは、光送信器１０Ａ内の分岐部１４の前段にアンプ１９を配置し、信号レベル差が所定閾値未満の場合、アンプ１９で無線信号のレベルを増幅して分岐部１４に入力する点にある。尚、アンプ１９は、例えば、調整部に相当する。
【００４９】
割当部１８Ａは、無線信号のキャリア周波数の信号レベルと、ＤＭＴ信号の信号レベルとの信号レベル差が所定閾値未満であるか否かを判定する。割当部１８Ａは、信号レベル差が所定閾値未満の場合、アンプ１９に対して無線信号の信号レベルの増幅を要求する。
【００５０】
アンプ１９は、割当部１８Ａからの増幅要求に応じて、入力した無線信号の信号レベルを増幅し、増幅した無線信号を分岐部１４に入力する。そして、モニタ部１７は、スペクトルアナライザ１７Ａを通じて無線信号の周波数スペクトルを取得する。この際、モニタ部１７は、アンプ１９で増幅した無線信号の信号レベルを取得する。
【００５１】
割当部１８Ａは、無線信号のキャリア周波数の信号レベルが増幅しているため、無線信号の信号レベルと、ＤＭＴ信号の信号レベルとの差分として所定閾値以上の信号レベル差を確保できる。
【００５２】
次に、実施例２の光伝送システム１Ａの動作について説明する。図１２は、光伝送処理に関わる光送信器１０Ａの処理動作の一例を示すフローチャートである。図１２において割当部１８Ａは、ステップＳ１６にて信号レベル差を算出する。割当部１８Ａは、信号レベル差が所定閾値未満であるか否かを判定する（ステップＳ３１）。割当部１８Ａは、信号レベル差が所定閾値未満の場合（ステップＳ３１肯定）、アンプ１９に対して無線信号の所定量増幅を要求する（ステップＳ３２）。その結果、アンプ１９は、割当部１８Ａからの増幅要求に応じて無線信号の信号レベルを所定量増幅する。
【００５３】
更に、割当部１８Ａは、所定量増幅を要求した後、無線信号のキャリア周波数に対応する無線信号とＤＭＴ信号との信号レベル差を算出すべく、ステップＳ１６に移行する。その結果、無線信号の信号レベルが増幅した分、無線信号とＤＭＴ信号との信号レベル差が大きくなる。
【００５４】
また、割当部１８Ａは、信号レベル差が所定閾値未満でない場合（ステップＳ３１否定）、目標ＥＶＭの無線信号のＳＮＲ及び信号レベル差に基づき無線信号の換算ＳＮＲを算出すべく、ステップＳ１７に移行する。
【００５５】
図１２に示す光伝送処理は、無線信号とＤＭＴ信号との信号レベル差が所定閾値未満の場合、無線信号を増幅して再度、無線信号とＤＭＴ信号との信号レベル差を算出する。その結果、所定閾値以上の信号レベル差を確保して、無線信号のキャリア周波数をシフトする際に使用する換算ＳＮＲを確保できる。
【００５６】
実施例２の光伝送システム１Ａは、無線信号とＤＭＴ信号との信号レベル差が所定閾値未満の場合、無線信号を増幅して再度、無線信号とＤＭＴ信号との信号レベル差を算出する。その結果、所定閾値以上の信号レベル差を確保して、無線信号のキャリア周波数をシフトする際に使用する換算ＳＮＲを取得できる。
【００５７】
光送信器１０Ａは、換算ＳＮＲが０以下でない場合、ＤＭＴ信号の伝送特性から換算ＳＮＲに該当する周波数を検索し、その周波数をシフト後の無線信号のキャリア周波数として決定し、無線信号をＤＭＴ信号の高周波側ＳＣに設定する。その結果、無線信号がＤＭＴ信号の低周波側ＳＣに重ならないため、ＤＭＴ信号の伝送特性を改善できる。
【００５８】
光送信器１０Ａは、換算ＳＮＲが０以下の場合、ＤＭＴ信号の使用帯域以外の未使用の周波数を無線信号のキャリア周波数として決定し、無線信号をＤＭＴ信号の使用帯域以外に設定する。その結果、無線信号がＤＭＴ信号の使用帯域に重ならないため、ＤＭＴ信号の伝送特性を改善できる。
【００５９】
尚、上記実施例１及び２では、説明の便宜上、光送信器１０（１０Ａ）及び光受信器２０で構成する光伝送システム１（１Ａ）について説明したが、単一の伝送装置内に光送信器１０（１０Ａ）及び光受信器２０を内蔵しても良い。この場合の実施の形態につき、実施例３として、以下に説明する。
【実施例３】
【００６０】
図１３は、実施例３の光伝送システム１Ｂの一例を示すブロック図である。尚、図１に示す光伝送システム１と同一の構成には同一符号を付すことで、その重複する構成及び動作の説明については省略する。
【００６１】
図１３に示す光伝送システム１Ｂは、伝送装置５Ａ（５）と、対向側の伝送装置５Ｂ（５）とを有し、伝送装置５Ａ及び対向側の伝送装置５Ｂを光伝送路２で接続して構成している。尚、対向側の伝送装置５Ｂは、伝送装置５Ａと同一の構成であるため、同一の構成には同一符号を付すことで、その重複する構成及び動作の説明については省略する。
【００６２】
伝送装置５は、光送信器１０Ｂと、光受信器２０Ｂとを有する。光送信器１０Ｂは、ＤＭＴ変調部１１と、合波部１２と、Ｅ／Ｏ１３と、分岐部１４と、ミキサ１５と、発振器１６と、モニタ部１７と、割当部１８とを有する。光受信器２０Ｂは、Ｏ／Ｅ２１と、分波部２２と、ＤＭＴ復調部２３と、ミキサ２４とを有する。尚、光受信器２０Ｂ側の発振器は、光送信器１０Ｂ内の発振器１６を共用する。
【００６３】
伝送装置５Ａは、光伝送路２を用いて対向側の伝送装置５Ｂとの間で、ＤＭＴ信号に無線信号を合波した光ＤＭＴ信号を伝送している。
【００６４】
実施例３の伝送装置５（５Ａ，５Ｂ）は、光送信器１０Ｂ及び光受信器２０Ｂを内蔵し、発振器１６を光送信器１０Ｂ及び光受信器２０Ｂで共用しているので、部品点数が削減できる。
【００６５】
尚、上記実施例１〜３では、割当部１８を光送信器１０（１０Ａ，１０Ｂ）に内蔵した場合を例示したが、割当部１８を光受信器２０（２０Ｂ）に内蔵しても良く、また、光送信器１０及び光受信器２０以外の管理装置に内蔵しても良い。
【００６６】
また、割当部１８は、ＤＭＴ信号に合波する無線信号のキャリア周波数をＤＭＴ信号内の高周波側のＳＣにシフトする場合を例示したが、ＤＭＴ信号内の使用中ＳＣ以外の帯域であれば良い。例えば、ＤＭＴ信号内の情報信号と無線信号とが重ならないようにＤＭＴ信号内の空きのＳＣに対応した周波数に無線信号のキャリア周波数をシフトするようにしても良い。
【００６７】
また、割当部１８は、ＤＭＴ信号内のＳＣ毎に割当内容を管理する割当テーブル３２を内蔵した。しかしながら、割当テーブル３２を準備しなくても、その都度、ＤＭＴ信号内のＳＣの割当内容を検出し、割当処理を実行するようにしても良い。
【００６８】
上記実施例１〜３では、設定情報を光伝送路２と異なる制御線３経由で光送信器１０から光受信器２０に通知した。しかしながら、例えば、光伝送路２を伝送するマルチキャリア信号の制御信号、例えばＯＳＣ（Optical  Service  Channel）信号内に割当情報を含めて光送信器１０から光受信器２０に通知するようにしても良い。
【００６９】
上記実施例１〜３では、ＤＭＴ信号に無線信号を電気的に合波した後に光変換するようにしたが、ＤＭＴ信号及び無線信号を光変換した後、光変換したＤＭＴ信号及び無線信号を光周波数多重するようにしても良い。その結果、電気信号で合波（周波数多重）した場合に比較して高周波帯での信号処理に有用である。
【００７０】
また、上記実施例では、ＤＭＴ変調方式の光送信器１０を例示したが、複数のＳＣに情報信号を割り当て、ＳＣ毎に割り当てられた情報信号を変調する他のマルチキャリア変調方式の光送信器にも適用可能である。例えば、ＯＦＤＭ（Orthogonal  Frequency  Division  Multiplexing）変調方式やＱＰＳＫ(Quadrature  Phase  Shift  Keying)変調方式を含む各種ＰＳＫ変調方式等のマルチキャリア変調方式の光送信器にも適用可能である。同様に、ＤＰＳＫ（Differential  Phase  Shift  Keying）や８ＰＳＫ等にも適用可能である。
【００７１】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７２】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【００７３】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile  Memory）等のＲＡＭ（Random  Access  Memory）で構成しても良い。
【００７４】
ところで、本実施例で説明した各種の処理は、予め用意されたプログラムを光モジュールで実行することで実現できる。そこで、以下では、上記実施例と同様の機能を有するプログラムを実行する光モジュール等の伝送装置の一例を説明する。図１４は、伝送プログラムを実行する伝送装置１００を示す説明図である。
【００７５】
図１４において伝送プログラムを実行する伝送装置１００では、通信インタフェース１１０、ＲＯＭ１２０、ＲＡＭ１３０及びプロセッサ１４０を有する。
【００７６】
そして、ＲＯＭ１２０には、上記実施例と同様の機能を発揮する伝送プログラムが予め記憶されている。尚、ＲＯＭ１２０ではなく、図示せぬドライブで読取可能な記録媒体に伝送プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。また、伝送プログラムは、ネットワークを介して通信可能な記憶装置から取得されてもよい。伝送プログラムとしては、図１４に示すように、変調プログラム１２０Ａ、シフトプログラム１２０Ｂ及び出力プログラム１２０Ｃである。尚、プログラム１２０Ａ、１２０Ｂ及び１２０Ｃについては、適宜統合又は分散しても良い。
【００７７】
そして、プロセッサ１４０は、これらのプログラム１２０Ａ、１２０Ｂ及び１２０ＣをＲＯＭ１２０から読み出し、これら読み出された各プログラムをＲＡＭ１３０上で実行する。そして、プロセッサ１４０は、各プログラム１２０Ａ、１２０Ｂ及び１２０Ｃを、ＲＡＭ１３０上で変調プロセス１３０Ａ、シフトプロセス１３０Ｂ及び出力プロセス１３０Ｃとして機能する。
【００７８】
プロセッサ１４０は、複数のサブキャリアに情報信号を割り当て、サブキャリア毎に割り当てられた情報信号を変調して第１の信号を生成する。プロセッサ１４０は、第１の信号の伝送特性情報及び、入力した第２の信号の周波数情報に基づき、第１の信号内の情報信号を割り当てたサブキャリアと重ならないように第２の信号のキャリア周波数をシフトする。プロセッサ１４０は、第１の信号と、シフト後の第２の信号とを合波して出力する。その結果、第１の信号に第２の信号を合波した場合でも、第１の信号の伝送特性を改善できる。
【００７９】
以上、本実施例を含む実施の形態に関し、更に以下の付記を開示する。
【００８０】
（付記１）複数のサブキャリアに情報信号を割り当て、前記サブキャリア毎に割り当てられた情報信号を変調して第１の信号を生成する変調部と、
前記第１の信号の伝送特性情報及び、入力した第２の信号の周波数情報に基づき、前記第１の信号内の前記情報信号を割り当てた前記サブキャリアと重ならないように前記第２の信号のキャリア周波数をシフトするシフト部と、
前記第１の信号と前記シフト部にてシフト後の前記第２の信号とを合波して出力する出力部と
を有することを特徴とする伝送装置。
【００８１】
（付記２）前記シフト部は、
前記第１の信号内の低周波側のサブキャリアと重ならないように高周波側のサブキャリアに対応する周波数に、前記第２の信号のキャリア周波数をシフトすることを特徴とする付記１に記載の伝送装置。
【００８２】
（付記３）前記シフト部は、
前記第１の信号内の空きサブキャリアに対応する周波数に、前記第２の信号のキャリア周波数をシフトすることを特徴とする付記１に記載の伝送装置。
【００８３】
（付記４）前記シフト部は、
前記第１の信号内のサブキャリア以外の周波数に、前記第２の信号のキャリア周波数をシフトすることを特徴とする付記１に記載の伝送装置。
【００８４】
（付記５）前記シフト部は、
前記第１の信号の伝送特性情報及び前記第２の信号の周波数情報に基づき、前記第２の信号の伝送特性条件を満たしたキャリア周波数に前記第２の信号のキャリア周波数をシフトすることを特徴とする付記１〜４の何れか一つに記載の伝送装置。
【００８５】
（付記６）前記シフト部は、
前記第２の信号の伝送特性条件を満たした目標の信号レベルを算出し、
前記第１の信号と前記第２の信号との信号レベル差を算出し、
前記目標の信号レベルから前記信号レベル差を減算した換算レベルを算出し、
前記第１の信号の伝送特性情報に基づき、前記換算レベルに対応した周波数を前記第２の信号のシフト後のキャリア周波数に決定し、決定したシフト後のキャリア周波数に前記第２の信号をシフトすることを特徴とする付記１〜５の何れか一つに記載の伝送装置。
【００８６】
（付記７）前記信号レベル差が所定閾値未満の場合、前記第２の信号の信号レベルを調整する調整部を有することを特徴とする付記６に記載の伝送装置。
【００８７】
（付記８）前記第２の信号の周波数情報及び前記第１の信号の伝送特性情報に基づき、前記第１の信号内の複数のサブキャリアの内、前記第１の信号内の前記情報信号が割り当てられた前記サブキャリアと重ならないように前記第２の信号のシフト後のキャリア周波数に対応するサブキャリアに前記第２の信号を割り当てる割当部を有することを特徴とする付記１〜７の何れか一つに記載の伝送装置。
【００８８】
（付記９）複数のサブキャリアに情報信号を割り当て、前記サブキャリア毎に割り当てられた情報信号を変調して第１の信号を生成する変調部と、
前記第１の信号の伝送特性情報及び、入力した第２の信号の周波数情報に基づき、前記第１の信号内の前記情報信号が割り当てられた前記サブキャリアと重ならないように前記第２の信号のキャリア周波数をシフトするシフト部と、
前記第１の信号と前記シフト部にてシフト後の前記第２の信号とを合波して出力する出力部と
を有することを特徴とする送信器。
【００８９】
（付記１０）伝送装置が、
複数のサブキャリアに情報信号を割り当て、前記サブキャリア毎に割り当てられた情報信号を変調して第１の信号を生成し、
前記第１の信号の伝送特性情報及び、入力した第２の信号の周波数情報に基づき、前記第１の信号内の前記情報信号が割り当てられた前記サブキャリアと重ならないように前記第２の信号のキャリア周波数をシフトし、
前記第１の信号とシフト後の前記第２の信号とを合波して出力する
処理を実行することを特徴とする伝送方法。
【符号の説明】
【００９０】
１，１Ａ，１Ｂ  光伝送システム
１０，１０Ａ、１０Ｂ  光送信器
１１  ＤＭＴ変調部
１２  合波部
１５  ミキサ
１７  モニタ部
１８，１８Ａ  割当部
２０  光受信器
２２  分波部
２３  ＤＭＴ復調部
【図１】
2016127572.tif 000003
【図２】
2016127572.tif 000004
【図３】
2016127572.tif 000005
【図４】
2016127572.tif 000006
【図５】
2016127572.tif 000007
【図６】
2016127572.tif 000008
【図７】
2016127572.tif 000009
【図８】
2016127572.tif 000010
【図９】
2016127572.tif 000011
【図１０】
2016127572.tif 000012
【図１１】
2016127572.tif 000013
【図１２】
2016127572.tif 000014
【図１３】
2016127572.tif 000015
【図１４】
2016127572.tif 000016
【図１５】
2016127572.tif 000017